(57)【要約】【課題】パソコンあるいはＰＤＡ等の情報端末機器等の内部に組込むアンテナにおいて、導電性の筐体部が存在しない場合にも、安定した動作が可能な小型で、しかも安価なアンテナを提供する。【解決手段】アース電極（３）部にアース電極部の面積を増大させるよう別体の導電部材（５）を貼着する。【選択図】　図１
2004128742.tif 000002
【特許請求の範囲】
【請求項１】
アース電極上に短絡部材を介してアンテナエレメントが対向設置され、その際、該アース電極にその面積を増大させるための別体の導電部材が貼着されていることを特徴とするアンテナ。
【請求項２】
該導電部材が可撓性を有する請求項１に記載のアンテナ。
【請求項３】
該導電部材の面積がアース電極部の面積の１００％〜６００％である請求項１または２に記載のアンテナ。
【請求項４】
該導電部材が銅またはアルミニウムからなる導電テープである請求項１〜３のいずれかに記載のアンテナ。
【発明の詳細な説明】
【０００１】
【発明の属する技術分野】
本発明は、パソコン、ＰＤＡ（携帯型情報機器）、携帯電話、あるいはＶＩＣＳなどの情報端末機器等に内蔵させる小型アンテナに関するものである。
【０００２】
【従来の技術】
近年、無線ＬＡＮあるいはＢｌｕｅｔｏｏｔｈ（近距離無線データ通信システム）搭載のＰＤＡ等においては、ますます、寸法の小型化の要求が高くなって来ており、アース電極として導電性の筐体を利用することが知られている。その、一例として、筐体の導電部とアース端子（ＧＮＤ）とを接続した携帯電話機の内蔵アンテナが提案されている。（例えば、特許文献１参照）
ところが、この提案では、導電性の筐体部の面積が小さい場合には、共振周波数にバラツキが生じて動作が不安定になるという問題が生じる。また、導電性の筐体部が存在しない場合には、この提案は採用できないという問題がある。
【０００３】
【特許文献１】
特許第２９０８４３２号公報（特許請求の範囲、図１）
【０００４】
【発明が解決しようとする課題】
したがって、本発明の課題は、パソコン、あるいはＰＤＡ等の情報端末機器内部に組込むアンテナにおいて、導電性の筐体部が存在しない場合にも、安定した動作が可能で、しかも小型で且つ安価なアンテナを提供することにある。
【０００５】
【課題を解決するための手段】
本発明者等は、アース電極部にその面積を増大させるための別体の導電部材を貼着させることに着目し、本発明を実現するに至った。
【０００６】
かくして、本発明によれば、アース電極上に短絡部材を介してアンテナエレメントが対向設置され、その際、アース電極にその面積を増大させるための別体の導電部材が貼着されていることを特徴とするアンテナが提供される。
【０００７】
【発明の実施の形態】
以下、添付図面を参照しながら、本発明について説明する。
図１は、本発明のアンテナの一例を示す斜視図である。
図２は、図１に示した本発明のアンテナを情報端末機器であるパソコンに装着した例を示す斜視図である。
図１〜図２において、（１）はアンテナ、（２）はアンテナエレメント、（３）はアース電極、（４）はアンテナエレメント（２）とアース電極（３）とを電気的に接続する短絡部材、（５）はアース電極（３）に貼着された導電部材、（６）は高周波同軸ケーブルである。
【０００８】
本発明で特徴的なことは、通常は非可撓性の材質で構成されるアース電極（３）に、該アース電極（３）と機能を共有する、特に可撓性の導電部材（５）を付加したことにある。こうすることにより、アンテナの安定した動作が確保されるとともにスペースの大幅な削減と別工程での取付工程の省略が可能となる。
以下、この点について、さらに詳細に説明する。
図１に示すように、板状態の導電部材（５）は本来のアース電極（３）に貼着され、電気的に接続される。
ここで、安定した動作を可能とするため、導電部材（５）の必要最低面積（ｍｍ２）は、アース電極（３）の面積と導電部材（５）の面積との総和がλ／４＊λ／４（λは波長）を満足するときに導き出される値とある。従って、元々、アース電極（３）の面積が上記のλ／４＊λ／４の値未満であってもある程度大きい場合には、導電部材（５）の面積は小さくて済む。より安定した動作を望む場合には、スペースの許す限り、アース電極（３）と導電部材（５）との総和を大きく、つまり、アース部全体の面積を大きくすることが望ましい。その際、アース電極（３）と導電部材（５）との面積比率は、導電部材（５）の面積がアース電極（３）部のそれの１００％〜６００％の範囲にあることが望ましい。導電部材（５）の材質は銅、アルミニウム、すず、あるいは亜鉛等の金属からなる薄板または、これらの金属を蒸着させた合成樹脂基材（例えばポリエステル基材）の導電テープ等各種の可撓性部材が好ましく用いられるが、加工性、可撓性の点から金属を蒸着させた導電テープがより好ましい。
このような導電部材（５）は加工性の面から、その厚さが０．１ｍｍ〜０．５ｍｍの範囲から適便選択される。導電部材（５）のアース電極（３）ヘの貼着手段としては、かしめ、はんだ付け、あるいは接着等各種の固着手段が採用できるが、なかでも接着剤による貼着が生産性の面から好ましい。また、導電部材（５）貼着の態様については、アース電極（３）から同一平面内で延出させたり、ある角度にて屈曲させたり、あるいは裏側に入り曲げたりする等、取り付け機器のスペースの状況を考慮しながら、任意の位置関係が選択できる。
次に、アンテナ自身の構造について述べる。
切片として図示されたアンテナエレメント（２）は、アース電極（３）上に短絡部材（４）を介して対向設置される。この対向設置の態様は、図示したように間隔をおいた面平行状態の他、両面間に角度をつけた状態、例えば仰角が９０度以下の状態であってもよい。また、アンテナエレメント（２）である切片の長さは採択する波長の１／４の長さに設定し、また切片の幅は１ｍｍ〜５ｍｍの範囲から適宜選択する。他方、切片の厚さについては格段の制約はなく、パソコンなどの表示パネル固定部材と同様の薄板状の厚さとすればよい。この切片を構成する材質としては、洋白（白銅）、ＳＵＳ、銅、鉄、黄銅、あるいは亜鉛等各種金属部材が採用されるが、加工性、耐腐食性、ハンダ付着性の面から洋白（白銅）が好ましく採用される。
アース電極（３）の材質についても、アンテナエレメント（２）と同様に洋白（白銅）、ＳＵＳ、銅、鉄、黄銅、あるいは亜鉛等各種金属部材が採用されるが、加工性、耐腐食性、ハンダ付着性の面から洋白（白銅）が好ましく採用される。さらに、高周波同軸ケーブル（６）の内部導体は、アンテナエレメント（２）部に位置する内部導体インピーダンス整合点（Ｓ１）に接続され他方、外部導体はとアース電極（３）部に位置する外部導体インピーダンス整合点（Ｓ２）（アースポイント）に接続される。高周波同軸ケーブル（６）としては、公知のフッ素樹脂被覆等の高周波同軸ケーブルが採用される。この高周波同軸ケーブル（６）を２つのインピーダンス整合点（Ｓ１、Ｓ２）に接続するには、ハンダ付あるいは超音波接続等を利用すればよい。
【０００９】
上述した態様では、アンテナエレメント（放射電極）が１個の例を示したが、別の態様として、アンテナエレメント（２）としての切片部（延出部）を２個以上設けて２波長以上に対応するようにしてもよいことは勿論である。
【００１０】
以下に、図１に示した本発明のアンテナを情報端末機器であるパソコンに適用した具体例を、図２を参照しながら説明する。
先ず、パソコンの表示パネル固定部材の側面に、厚さ０．４ｍｍ、面積１５０ｍｍ２の洋白のアース電極（３）をネジ止めにより固定した。このアース電極（３）上に、材質が洋白で、厚さが０．４ｍｍ、幅２ｍｍ、長さが１５ｍｍの５ＧＨｚ帯に対応する切片状のアンテナエレメント（２）をアース電極（３）と２．５ｍｍの間隔で平行となるように短絡部材（４）を介して対向設置した。その際、アンテナエレメント（２）は、短絡部材（４）を介してアース電極（３）にハンダ付けにより固定した。
さらに、上記のアース電極（３）の端部に、厚さ０．１４ｍｍ、幅２０ｍｍ、長さ３０　　ｍｍ、面積６００ｍｍ２のポリエステル基材に銅を５０μｍの厚さで蒸着させた銅蒸着テープからなる導電部材（５）を導電性接着剤（商品名「Ｓｃｏｔｃｈ　Ｂｒａｎｄ　Ｔａｐｅ」、住友３Ｍ株式会社製）にて貼着した。その際、該テープの貼着部の寸法は、幅４ｍｍ、長さ２０ｍｍで、上記の面積から除外した。このようにして得られるアース部の総面積、すなわちアース電極（３）の面積と導電部材（５）の面積との総和は７５０ｍｍ２で、その際の導電部材（５）の面積はアース電極（３）部のそれの４００％に相当する。
最後に、インピーダンス整合点（Ｓ１、Ｓ２）に、外径０．９３ｍｍ、導体径０．２４ｍｍ、のフッ素樹脂（ＰＦＡ）同軸ケーブルの内部導体および外部導体をそれぞれハンダ付けにより接続して、パソコンへの内蔵を完了した。
以上の説明では、本発明のアンテナを情報端末機器であるパソコンに内蔵させた例を示したが、該アンテナは、ＰＤＡ、携帯電話、あるいはＶＩＣＳなどの各種情端末機器を始めとして、家電製品あるいは自動車関連機器へも同様に内蔵できることは容易に理解されよう。もちろん、本発明の思想の範囲内であれば、種々の変更および応用が可能であることは言うまでもない。
【００１１】
【発明の効果】
本発明のアンテナは、それらの端末機器に容易に内蔵させることができる。特に、可撓性に優れた導電部材をアース電極に追加・貼着することにより、設置箇所が狭小で窮屈な場合、さらには該機器類に導電性の筐体が無い場合でも容易に内蔵させることができる。その結果、本発明によれば、アンテナの安定した動作が確保できるとともに、取付けスペースの削減問題と生産性向上につながる工程簡略化の問題が同時に解消される、という格別顕著な効果が奏される。
【図面の簡単な説明】
【図１】本発明のアンテナの斜視図である。
【図２】本発明のアンテナを情報端末機器であるパソコンに装着した場合の例を示す斜視図である。
【符号の説明】
１　　　アンテナ
２　　　　アンテナエレメント（放射電極）
３　　　　アース電極
４　　　　短絡部材
５　　　　導電部材
６　　高周波同軸ケーブル
Ｓ１　　内部導体インピーダンス整合点
Ｓ２　　外部導体インピーダンス整合点（アースポイント）
【図１】
2004128742.tif 000003
【図２】
2004128742.tif 000004